(57)【要約】      （修正有）【課題】強い締付け力を必要とする並目ねじのボルトとナットの間に強力な緩み止めを行なう。【解決手段】通常用いられる右雄ねじのボルトの軸心部４に左雌ねじのボルトの雌ねじ孔５を穿ち、ボルトにナット１０を締め込んだ後、この左雌ねじ孔に左雄ねじの廻り止めボルト６ねじ込んで、その頭部の端面９でナットの上面を押圧して振動等によりナットの緩むことを阻止するようにしたボルトとナットの緩み止めの構造。【選択図】図１
2015227721.tif 000002
【特許請求の範囲】
【請求項１】
ボルトとナットの緩み止めの構造において、先ず下部部材（１３）にねじ込んだ後、その上に重ねた上部部材（１２）を締め込む植込みボルト（１）と、下部部材と上部部材を重ねて締結する通しボルト（２）の両形式のポルトの外ねじ部（３）の軸心部（４）を穿孔した後、ここに雌ねじ孔（５）を形成する、このとき両形式のボルトの雄ねじが右ねじの場合は軸心部の雌ねじ孔（５）は逆に左ねじとし、これに嵌合する小径の廻り止めボルト（６）の雄ねじ（７）も左ねじとし、この廻り止めボルト（６）は両形式のボルトの外ねじ部（３）の先端を掩う形状の冠状の頭部（８）を持ち、その頭部の端面（９）はナットの上面に密接するように仕上げられている、そして上部部材（１２）に座金（１１）を載せてナット（１０）を最終まで締め込んだ後、廻り止めボルト（６）をその上に重ねて締め込み、両者を密接させておく、振動等によりナット（１０）の締め付けが緩もうとして、ナットが左回転しようとするとき、ナットに密接している廻り止めボルト（６）の頭部の端面（９）も左回転しようとする力が働く、しかし、この廻り止めボルトは左ねじであるので、ボルトの左雌ねじ孔にねじ込まれる方向に進もうとして、ナットを反対方向に強く押し戻す力が発生するため、ナットの回転は阻止されるようになる、ボルトとナットの緩み止めの構造。
【請求項２】
請求項１に記載のボルトとナットの緩み止めの構造において、ボルトの外ねじ部（３）の軸心部（４）を穿孔した後、ここに雌ねじ孔を形成する代りに軸心部（４）に雌ねじの下孔を穿孔したままとし、廻り止めボルト（６）の左雄ねじ（７）の代りに取付けた左雄ねじのタッピングねじ（１６）をそのままねじ込んでいき、頭部の端面（９）をナットの上面に密接させナットを押え込むようにした、ボルトとナットの緩み止めの構造。
【発明の詳細な説明】
【技術分野】
【０００１】  本発明は強い締付け力を必要とする並目ねじボルトとナットの間に強力に緩み止めを行なおうとするものである。
【背景技術】
【０００２】  緩み止めのためボルトにナットを固定する方法としては、ナットとボルトを貫通する共孔を開けここに割ピンを押込む方法があるが、この穿孔は面倒であり、又ころがり軸受を押え込む時に使用するナットは細目ねじであって、大きな荷重には耐えられず、座金の舌を折込む箇所も限られている、又ねじ面の摩擦力を高めるダブルナット式の緩み止めナットもあるが、この効果は不明である。
【発明の開示】
【発明が解決しようとする課題】
【０００３】  本発明は上部部材の上に座金を載せ、ナットを締め付けた後、緩み止用として特殊ボルトをその上より締め込むことにより強力なナットの緩み止めを行うものである。
【課題を解決するための手段】
【０００４】  先ず下部部材１３にねじ込んだ後、その上に重ねた上部部材１２を締め込む植込みボルト１と、下部部材と上部部材を重ねて締結する通しボルト２の両形式のボルトの外ねじ部３の軸心部４を穿孔した後、ここに雌ねじ孔５を形成する、このとき両形式のボルトの雄ねじが右ねじの場合は軸心部の雌ねじ孔５は逆に左ねじとし、これに嵌合する小径の廻り止めボルト６の雄ねじ７も左ねじとし、この廻り止めボルト６は両形式のボルトの外ねじ部３の先端を掩う形状の冠状の頭部８を持ち、その頭部の端面９はナットの上面に密接するように仕上げられている。【０００５】  そして上部部材１２に座金１１を載せてナット１０を最終まで締め込んだ後、廻り止めボルト６をその上に重ねて締め込み、両者を密接させておく。【０００６】  振動等によりナット１０の締め付けが緩もうとして、ナットが左回転しようとするとき、ナットに密接している廻り止めボルト６の頭部の端面９も左回転しようとする力が働く、しかし、この廻り止めボルトは左ねじであるので、ボルトの左雌ねじ孔にねじ込まれる方向に進もうとして、ナットを反対方向に強く押し戻す力が発生するため、ナットの回転は阻止されるようになる。【０００７】  ボルトの外ねじ部３の軸心部４を穿孔した後、ここに雌ねじ孔を形成する代りに軸心部４に雌ねじの下孔を穿孔したままとし、廻り止めボルト６の左雄ねじ７の代りに取付けた左雄ねじのタッピングねじ１６をそのままねじ込んでいき、頭部の端面９をナットの上面に密接させナットを押え込むようにする。
【発明の効果】
【０００８】  本発明の実施により並目ねじボルトにナットを強く締め込んだ後、強力な緩み止めが可能になり、鉄道車両等振動の激しいナットの脱落を防止しうるようになる。
【図面の簡単な説明】
【０００９】
【図１】本発明の実施形態の一例として、植込みボルトにナットと廻り止めボルトを締め込んだ状態の縦断面図
【図２】図１の平面図
【図３】本発明の実施形態の一例として、通しボルトにナットと廻り止めボルトを締め込んだ状態の縦断面図
【図４】図３の平面図
【発明を実施するための形態】
【００１０】  本発明のボルトとナットの緩み止めの構造は、下部部材１２にねじ込んだ後、その上に重ねた上部部材１２を締め込む植込みボルト１と、下部部材と上部部材を重ねて締結する通しボルト２の両形式のボルトに使用することができる。
【００１１】  両形式のボルトの外ねじ部３の軸心部４を穿孔した後、ここに雌ねじ孔５を形成する、このとき両形式のボルトの雄ねじが右ねじの場合は軸心部の雌ねじ孔５は逆に左ねじとし、これに嵌合する小径の廻り止めボルト６の雄ねじ７も左ねじとする、この廻り止めボルトの雄ねじは雌ねじ孔になるべく隙間なく噛み合うことが望ましい。
【００１２】  この廻り止めボルト６は両形式のボルトの外ネジ部３の先端を掩う形状の冠状の頭部８を持ち、その頭部の端面９はナットの上面に密接するように頭部の端面とナットの上面に滑り止めの加工を行ってもよい、又特にバイブレーターのように特に甚だしい振動が生じる時には頭部の端面より小ねじ孔１４をあけ、これを通してナットの上面に止ねじ１５をねじ込んでナットの緩み止めをより確実に行うことが出来る。
【００１３】  そして上部部材１２に座金１１を載せてナット１０を最終まで締め込んだ後、廻り止めボルト６をその上に重ねて締め込み、両者を密接させておく、振動等によりナット１０の締め付けが緩もうとして、ナットが左回転しようとするとき、ナットに密接している廻り止めボルト６の頭部の端面９も左回転しようとする力が働く、しかし、この廻り止めボルトは左ねじであるので、ボルトの左雌ねじ孔にねじ込まれる方向に進もうとして、ナットを反対方向に強く押し戻す力が発生するため、ナットの回転は阻止されるようになる。
猶廻り止めボルトは外ねじ部の軸心部４に穿孔した雌ねじ孔５とは圧入の嵌合をもち、且つ廻り止めボルトは小重量のため振動により単独に緩むことはない。
特にバイブレーター機械等振動の著しい機械に使用されるときは、廻り止めボルトの冠状頭部８に小ねじ孔１４をあけて止めねじ１５を捩じ込んで、ナットの上面に食い込ませて廻り止めボルトとナットとの間を一体とすることにより、ナットの確実な緩み止めを行うことができる。
【００１４】  ボルトの外ねじ部３の軸心部４を穿孔した後、ここに雌ねじ孔を形成する代りに軸心部４に雌ねじの下孔を穿孔したままとし、廻り止めボルト６の左雄ねじ７の代りに取付けた左雄ねじのタッピングねじ１６をそのままねじ込んでいき、頭部の端面９をナットの上面に密接させナットを押え込むようにする。
この方法は中小のボルトに使用することにより、ボルトの製作コストを低減することが出来る。
【符号の説明】
【００１５】１・・・植込みボルト                      ２・・・通しボルト
３・・・ボルトの外ねじ部                  ４・・・ボルトの軸心部
５・・・ボルトの雌ねじ孔                  ６・・・廻り止めボルト
７・・・廻り止めボルトの雄ねじ            ８・・・廻り止めボルトの冠状頭部
９・・・廻り止めボルトの冠状頭部の端面    １０・・・ナット
１１・・・座金                            １２・・・上部部材
１３・・・下部部材
１４・・・廻り止めボルトの冠状頭部の小ねじ孔
１５・・・止めねじ                        １６・・・タッピングねじ
【図１】
2015227721.tif 000003
【図２】
2015227721.tif 000004
【図３】
2015227721.tif 000005
【図４】
2015227721.tif 000006